(57)【特許請求の範囲】
【請求項１】
建物の室内空間の天井又は壁に設けられる仕切り構造であって、
前記仕切り構造は、天井裏側又は壁体側に板状部材で形成される板状部と、該板状部を覆って室内空間に面する繊維シート状物と、を有し、
前記繊維シート状物は、前記板状部に直接張り付けられており、その通気度が４０〜６５０ｃｃ／ｃｍ２・ｓｅｃであり、
前記板状部には、開口部が設けられ、該開口部には送風装置の送風口が接続され、
前記送風装置から供給される空気が、前記繊維シート状物を経由して室内空間に分散する
ことを特徴とする建物の室内空間の仕切り構造。
【請求項２】
建物の室内空間の天井又は壁に設けられる仕切り構造であって、
前記仕切り構造は、天井裏側又は壁体側に板状部材で形成される板状部と、該板状部を覆って室内空間に面する繊維シート状物と、を有し、
前記繊維シート状物は、２重構造の織編物であり、その通気度が４０〜６５０ｃｃ／ｃｍ２・ｓｅｃであり、
前記板状部には、開口部が設けられ、該開口部には送風装置の送風口が接続され、
前記送風装置から供給される空気が、前記繊維シート状物を経由して室内空間に分散する
ことを特徴とする建物の室内空間の仕切り構造。 
【請求項３】
前記繊維シート状物が、表裏２層の編地とこれらを連結する連結糸から構成された立体編物である繊維シート状物で構成されることを特徴とする請求項１または２に記載の建物の室内空間の仕切り構造。
【発明の詳細な説明】
【技術分野】
【０００１】
本発明は、一般に建物の室内空間に設けられる天井又は壁構造に係り、より詳細には、住宅等の建物における空調等の送風装置を備えた天井又は壁の仕切り構造に関する。また本発明は建築物に設置される送風システム並びにチャンバーにも関する。
【背景技術】
【０００２】
住宅建物において、一般にエアコンと呼ばれている、居室内に直接冷気を吹き出すようになされた対流式の冷房装置を設置した場合、局所から冷気を送るため風速が大きく、その風が居室内の人に直接当たることになる。そのため、皮膚表面から水分を奪われ、肌が乾燥しやすくなり、この種の冷房装置を不快と感じる場合があった。また、対流式の冷房装置の場合、室内が設定温度になると弱まり、設定温度より高くなると再び強まることを繰り返すことから、居室内の温度変動が大きくなってしまう。つまり、丁度良くなったり暑くなったり、あるいは、丁度良くなったり寒くなったりを繰り返すため、常に最適な室温を保つことは困難であった。更に、下向きに冷気が吹き出すため、上下方向に温度分布ができてしまい、上側が暑く下側が寒いため、足元ばかりが冷えて不快な状況となってしまうことがあった。
【０００３】
そこで、従来より、冷房に関しては、天井を直接冷却して、天井からの輻射で居室内を冷房するようになされた輻射冷房が行われている。しかしながら、この場合、天井の裏面に冷媒管を配管して冷却すると、結露水が出てしまうこととなり、この結露水を処理するための配管などの構造が必要となってしまう。そのため、建物内の天井裏に、空気流路を形成し、この空気流路内に冷気を循環させ、この冷気によって天井を冷却するようになされた天井冷房構造が提案されていた（例えば、特許文献１参照）。しかし、冷気によって天井材を冷却するようになされた天井冷房構造の場合、天井が冷却されなければ、天井からの輻射冷却によって居室の冷房を行うことができないので、運転開始からすぐに居室内を涼しくすることができないといった不都合を生じていた。
【０００４】
この問題を解決するため、冷気を循環させる天井冷房構造において、冷気の少なくとも一部を、天井を介して天井下の居室空間へと通過するようになされた天井冷房構造が提案されている（特許文献２参照）。しかし、従来の天井冷房構造においては、非可視孔を無数に有するフィルター機能を有する通気性が低い材料が天井材として使用されていたため、冷気が居室空間に通過される量が少なく、居室内を冷却するのに時間がかかったり、また対流による冷房効果が小さくなるおそれがあった。
【０００５】
【特許文献１】特開平９−２０３５３９号公報
【特許文献２】特開平８−１０５１４８号公報
【発明の開示】
【発明が解決しようとする課題】
【０００６】
本発明は、一般には、前記従来の技術に見出される不具合を少なくとも部分的に解消した送風装置を備えた建物の室内空間の仕切り構造を提供することを目的とし、特に、身体にあたる風をほとんど感じず、居室内の温度変動が小さく、温度分布がほとんどないという効果を奏し、居室内の人にとってより快適な対流による冷房効果を与えることのできる建物の室内空間の仕切り構造を提供することを目的とする。
また本発明は上記建物の室内空間の仕切り構造と同様の効果を奏する送風システム並びにチャンバーを提供することも目的とする。
【課題を解決するための手段】
【０００７】
第一の発明によれば、
建物の室内空間の天井又は壁に設けられる仕切り構造であって、
前記仕切り構造は、天井裏側又は壁体側に板状部材で形成される板状部と、該板状部を覆って室内空間に面する繊維シート状物と、を有し、
前記繊維シート状物は、前記板状部に直接張り付けられており、その通気度が４０〜６５０ｃｃ／ｃｍ２・ｓｅｃであり、
前記板状部には、開口部が設けられ、該開口部には送風装置の送風口が接続され、
前記送風装置から供給される空気が、前記繊維シート状物を経由して室内空間に分散する
ことを特徴とする建物の室内空間の仕切り構造が提供される。
【０００８】
仕切り構造は、建物の室内空間の天井部、壁部のいずれにも設けることができる。
ここで、建物の室内空間とは、建物内部の空間を意味し、居間、寝室、書斎、台所、玄関等々、冷暖房装置などの空調システムを設置しうるあらゆる空間を含む。
天井裏とは、建物躯体の床スラブと室内空間を仕切り材で仕切って形成した空間である。
壁体とは、天井から床まで木製や鋼製等の壁下地部材で骨組を構成し、壁面を板状部材（石膏ボード材等）内部に通気層等の空間を含んだ構造体を言う。例えば、建物の室内空間に構成される間仕切り壁や建物躯体の外壁パネルに沿った内壁構造がある。
送風装置とは、空気を吸い込み、送り出す装置のことをいい、空間に空気を送り込むことができる手段であれば如何なるものでも構わないが、好適には、冷暖房装置であり、例えば温度調節機能、湿度調節機能、風量調節機能、タイマー機能などを更に備えたものを使用することができ、また、空気清浄機能などが具備されたものであってもよい。送風装置の設置場所は、天井内でもそれ以外の建物内の場所であってもよいし、屋外であってもよい。従って、送風装置によって取り込まれる空気は、居室空間の空気でもそれ以外の建物内の空気でもよいし、更に屋外の空気であってもよい。
【０００９】
仕切り構造は、建物の室内空間において、天井面のほぼ全面又は一部を覆う複層の仕切り構造であり、室内空間側の仕切りである繊維シート状物と天井裏側の仕切りである板状部材で形成された板状部とによって構成される複層の仕切り構造であって、送風装置によって送り込まれる一定の風速を有する局所的な空気（気流）を、室内空間に面する天井面または壁面から室内空間に十分に拡散するものである。
繊維シート状物は、４０〜６５０ｃｃ／ｃｍ２・ｓｅｃの通気度を有するもので、このような通気度の素材を天井仕切りに用いることによって、送風装置から仕切り構造内に供給される局所的な空気を、前記仕切り構造を経由して室内空間に分散することができる。
ここで、通気度は、所定の圧力差における単位面積、単位時間あたりの空気の通過量を示すもので、ＪＩＳ−Ｌ−１０９６フラジール法に準じて測定され、好ましくは４０〜４００ｃｃ／ｃｍ２・ｓｅｃであり、より好ましくは５０〜３００ｃｃ／ｃｍ２・ｓｅｃ、さらに好ましくは５０〜２００ｃｃ／ｃｍ２・ｓｅｃである。
繊維シート状物は、例えば、織編物、不織布、フェルトなどの布帛からなるものが用いられ、複数種のものを併用することも可能である。
【００１０】
板状部は、上記板状部材で折り上げ天井形式（断面逆凹状）を形成するか、または室内空間の天井面を形成する板状部材の一部としてもよい。
板状部材は、板状（ボード状）の内装用建材等が使用され、仕切り構造内に送り込まれた空気を、室内空間以外（天井裏の空間や壁体内の空間）にほとんど通過させない程度に気密性を有するものであれば、材料を特に規定しないし、２種類以上の材料を組み合わせて使用してもよい。例えば、繊維強化セメント板、ロックウール板、繊維板、石膏ボード、パーティクルボード、コルク板、プラスチック板、ウレタンフォームなどが使用できる。また、この気密性を有する板状部材は、断熱性を有するものとすると、仕切り構造の空間の内部が断熱され、温度変化の少ない安定した空気を室内空間側に送り込むことができ、冷房効率がより高まるので、特に好ましい。
この種の断熱効果を有する板状部材としては、フェノールフォームやポリスチレンフォーム等のプラスチック系断熱材等が挙げられる。また、石膏ボードやベニヤ等の木製合板、プラスチック系防湿フィルム、透湿防水シート等の断熱効果の小さい板状部材の上に、ロックウールやグラスウール等の繊維系断熱材を組み合わせて使用してもよい。尚、板状部材の複数のパーツにして仕切り構造を構成する場合、後記するように板状部と繊維シート状物の間に空気層を形成する態様では、気密テープで板状部材の複数のパーツの継ぎ目を塞いで空気層等の気密性を確保するようにしてもよい。
【００１１】
前記板状部には、開口部を有し、該開口部には送風装置の送風口が接続されている。
送風装置は、各種冷暖房装置が使用されるが、例えば、天井部における場合は、天井埋め込み型エアコンからダクトで板状部に開口を開けて送風口を差込む構成とすることができる。その際に板状部が天井面自身である場合は、天井面の送風口を覆う様に、繊維シート状物を直接天井面に貼り付けてもよい。
上記仕切り構造は、いわゆる整流作用を発揮するものである。ここで、本発明で言う整流作用（整流性）とは、局所的に供給された気流を、仕切り等に通過させて、ほぼ均一に分散された気流に変化させる作用をいう。ここで、気流とは、一定の風速を有する空気をいう。
【００１２】
仕切り構造は、その外部から一定の風速で進入した空気（大きな気流）を、その内部で広げて風速が減じられた空気（小さく分かれた気流）として、仕切り面全体から室内側に放出するものである。
この仕切り構造は、板状部と繊維シート状物の積層構造で構成されており、送風装置から送られ、繊維シート状物に局所的に供給された気流である冷暖気を、室内空間に面する天井面又は壁面から室内空間に十分に拡散せしめるものである。すなわち、本発明に係る仕切り構造は、天井面又は壁面である繊維シート状物の全面からほぼ均一に分散された気流により室内空間全体の空気を満遍なく対流させるべく、設けられるものである。
【００１４】
前記繊維シート状物は前記板状部に直接張り付けられている。板状部（石膏ボード等）で形成される天井面自身に対して、繊維シート状物を直接に貼り付けた構造であり、繊維シート状物が板状部に間隙が実質的にない状態で張り付けられている場合だけでなく、板状部材と繊維シート状物の間に隙間が形成されている場合も含む。
【００１７】
第二の発明によれば、
建物の室内空間の天井又は壁に設けられる仕切り構造であって、
前記仕切り構造は、天井裏側又は壁体側に板状部材で形成される板状部と、該板状部を覆って室内空間に面する繊維シート状物と、を有し、
前記繊維シート状物は、２重構造の織編物であり、その通気度が４０〜６５０ｃｃ／ｃｍ２・ｓｅｃであり、
前記板状部には、開口部が設けられ、該開口部には送風装置の送風口が接続され、
前記送風装置から供給される空気が、前記繊維シート状物を経由して室内空間に分散する
ことを特徴とする建物の室内空間の仕切り構造が提供される。
ここで、２重構造の織編物とは、ダブル丸編地、ダブルラッセル編地、２重織物等の、２層の織編物層を含む布帛をいう。繊維シート状物を２重構造の織編物により構成する場合、好適には一枚のシートが用いられるが、複数枚のシートを積層して使用することを排除するものではない。
【００１８】
第三の発明によれば、第一または第二の発明において、前記繊維シート状物が、表裏２層の編地とこれらを連結する連結糸から構成された立体編物である繊維シート状物で構成されることを特徴とする建物の室内空間の仕切り構造が提供される。
ここで、立体編物とは、表裏２層の編地とこれら表裏編地を連結する連結糸とから構成される編物をいい、好適には一枚の立体編物シートが用いられるが、複数枚の積層シート構造とすることを排除するものではない。
【発明の効果】
【００２２】
本発明によれば、送風装置から供給される局所的に供給された気流をほぼ均一に分散された気流に変化させる（整流作用）。この整流作用により、大きな風速を有する空気を仕切り構造を通過させて送りこむことで、ほぼ均一でゆっくりとした風速の空気を、室内空間側仕切り面から対流させることが可能である。
特に、冷房においては、一般的な対流式冷房と比較して、身体に当たる風をほとんど感じることがなく、強風によって冷え過ぎることもない上、皮膚表面から水分を奪われにくく、肌が乾燥しにくいという利点がある。
また、冷気がゆっくりと対流するために、一般の対流式冷房よりも居室内の温度変動が大幅に小さくなる。従って、丁度良くなったり暑くなったり、あるいは、丁度良くなったり寒くなったりを繰り返すことはなく、居室内の人にとって常に快適な室温を保つことができる。
更に、冷気は上から下へと落下するため、上下方向の温度分布が非常に小さくなる。従って、一般的な対流式冷房のように足元だけが冷え過ぎることはなく、長時間着座していても快適な冷房効果を感じることができる。
また、天井輻射型の冷房と比較しても、対流によって冷気が居室全体に行き渡るため、涼しい場所とそうでない場所との斑は生じにくく、どの場所でも快適な冷房効果を感じることができる。更に、対流式であるため、冷やされた空気が室内に流れることによって室内が冷却されるため、運転開始からの室内の温度が安定するまでの時間が短く、すぐに冷房の効果を感じることができる。
これらの特徴により、室内にいる人に、運転開始から長時間に渡って、快適な温熱空間を提供することが可能である。
【００２３】
また、板状部に繊維シート状物を直接張り付けたので、空気層を設けた場合と比較して、構造が簡単で、施工が容易である。特に、既存の建物における天井又は壁に直接張り付けることができるので、簡便である。
【００２４】
第二の発明によれば、２層の織編物の層が送風口からの空気をより拡散し整流させる効果として働くため、室内の温度部分布がより均一となり、更に空気の通過性を遮断し過ぎることなく、裏側の透け性をより防止することができる。
【００２５】
第三の発明によれば、立体編物はタテ方向及びヨコ方向にストレッチ性を有すると同時に面剛性が高いため、仕切り面全体に張る際の施工性が良好となり、大きな張力を掛けて張る場合や殆ど張力を掛けない場合においてもシワがなく、きれいな外観で張ることができる。
【発明を実施するための最良の形態】
【００２８】
以下、本発明の実施形態を、図面を参照して説明する。
図１は、本発明の第一の実施形態に係る建物の室内空間の仕切り構造を有する天井構造の全体構成を示す概略図であり、図中、Ｌは住宅建物の居室空間（室内空間）である。前記仕切り構造は、居室空間Ｌの上面（天井面）の一部に設けられている。仕切り構造は、室内空間側の所定の通気度を備えた天井仕切り部材である繊維シート状物１と、該繊維シート状物１の上方に一定の距離を開けて水平に敷設された天井裏側仕切り部材である板状部２とを有してなる。板状部２は、繊維シート状物１に対向する板状部材２ａと、側方板部材２ｂとからなり、特に気密性のある硬質断熱パネルを使用している。
尚、仕切り構造の範囲外である天井仕切り部材６は、石膏ボードで構成している。
このように、仕切り構造には、繊維シート状物１、板状部材２ａ、側方板部材２ｂによって仕切られた空気層Ｒが形成されている。
【００２９】
また、天井裏内には、送風装置３が設置され、その送風口はフレキシブルなダクト４を介して前記空気層Ｒに連通せしめられている。送風装置３は、本実施形態では冷暖房装置であり、その空気取込み口が居室空間Ｌに臨むように、天井材１ａに形成された開口上に、図示しない固定手段を介して固定されて設置されている。
尚、送風装置３の設置場所は、本実施形態のように天井裏とするのではなく、居室空間Ｌの上方で壁際の部分に支持フレームを介して設置し、送風口に接続されたダクト４のみが天井裏に延びるようにすることもでき、このようにすると、送風装置３の操作、清掃、メンテナンス等が容易になり、好都合である。また、送風装置３を居室から離れた建物内の他の場所や室外に設置しても構わない。
【００３０】
前記ダクト４は、その一端が送風装置３の送風口に接続され、その他端（空気吹出口５）が気密性のある板状部材からなる板状部２に形成された開口部に接続されて空気層Ｒ内に連通せしめられており、送風装置３により居室空間Ｌから吸引された空気は、送風装置３によって冷却等されてダクト４の中を流通し空気層Ｒに送り込まれる構成となっている。そして、空気層Ｒ内に送り込まれた空気の流れは、対向する繊維シート状物１に向かうが、繊維シート状物１が適度の通気性を有しているので、空気層Ｒ内に送り込まれた局所的な空気の流れは、繊維シート状物１のほぼ全面に均一に行き渡り、かつ、繊維シート状物１を通過して居室空間Ｌ内に向けてほぼ均一でゆっくりとした風速で下方に向けて対流することとなる。
【００３１】
上記の仕切り構造は一例であり、他の様々な構造も考えられる。よって、仕切り構造が採りうる基本構造を、図２（ａ）〜（ｄ）の模式図を参照してここで説明する。
先ず、図２（ａ）に示す構造では、仕切り構造は、板状部材２ａと側方板部材２ｂと繊維シート状物１によって形成されているが、繊維シート状物１は、マジックテープ（登録商標、以下省略）等の接合手段７によって、板状部材２ａの下面に着脱自在に張り付けられると共に、その下面が周囲の天井面とほぼ同一になるように、板状部材２ａと側方板部材２ｂから形成された空間に収容された状態となっている。この構造では、板状部材２ａと繊維シート状物１の間に若干の隙間（図中、Ｇで示す）が形成されているが、整流作用は繊維シート状物１だけでも達成されるので、この隙間はあってもなくても構わない。このような構造の仕切り構造では、繊維シート状物１の下面が天井面とほぼ同一であるので、意匠性に優れる。
図２（ｂ）に示す構造では、板状部材２ａと側方板部材２ｂと繊維シート状物１によって空気層Ｒが形成されている。すなわち、側方板部材２ｂが天井面から居室内側に若干突出せしめられ、その下方端に、マジックテープ等の接合手段７を介して繊維シート状物１が取り付けられ、繊維シート状物１と板状部材２ａの間に十分な高さの空気層Ｒが確保されている。尚、側方板部材２ｂが天井面から下方に突出しないようにしてもよい。
図２（ｃ）は、板状部２を天井面自体で構成し、その下面に接合手段７を介して繊維シート状物１を設けたもので、繊維シート状物１と板状部材２ａの間には、接合手段７の厚み分だけの間隙Ｇが形成されているが、この間隙Ｇがなくてもよいことは、図２（ａ）の例で説明したのと同様である。
図２（ｄ）は、側方板部材２ｂを、ダクト４の空気吹出口５の周辺部分だけを囲むように設け、その囲まれた区画部分に厚みのある空気層Ｒを形成したものである。
このような何れの構造であっても、ダクト４から流れてくる空気流を、繊維シート状物１の全面にわたって整流することができる。
【００３２】
次に、繊維シート状物１が備えるべき適度な整流性の詳細を、図３（ａ）〜（ｃ）を参照しながら説明する。
先ず、第一の条件は、空気層Ｒ内に吹き出される気流（冷気）が、繊維シート状物１内部に進入してきたとき、天井面方向になるべく均一に拡散させる必要がある。このとき、繊維シート状物１の通気性が大き過ぎると、冷気が空気層Ｒ内、および繊維シート状物１内部に広がらず、ほとんどの冷気が空気吹出口５の周辺部位の天井部繊維シート状物１で形成された天井面から局所的に居室内に吹き出してしまい、居室内を均一な温度分布にすることができない（図３（ａ）参照）からである。第二の条件は、冷気を全て居室空間Ｌに通過させることのできる程度の通気性を有することである。通気性が小さ過ぎると繊維シート状物１を通過する冷気の量が少な過ぎて、冷気がほとんど吹き出さず、十分な対流効果が得られない（図３（ｃ）参照）からである。よって、繊維シート状物１が、前記第一、第二の条件を満たす適度の通気性を有する場合、繊維シート状物１内部にて整流の作用を生み出す。空気層Ｒ内に送り込まれた局所的な空気の流れは、繊維シート状物１内部のほぼ全面に行き渡り、かつ、繊維シート状物１を通過して天井面全体から居室空間Ｌ内に向けてゆっくりとした風速で下方に向けて対流し（図３（ｂ）参照）、冷暖気が居室空間Ｌに拡散させることができ、快適な温熱空間を提供することが可能となる。
尚、空気層Ｒは、繊維シート状物１内部における冷気の天井面方向への拡散を促進させるための予備的な空間といえる。
【００３３】
上記の二条件を満たし、図３（ｂ）に示されるように、居室内に均一に吹き出す整流作用を発揮する建物の室内空間の仕切り構造にふさわしい通気性を検討した結果、本願発明者らは、天井部材１ｂは、４０〜６５０ｃｃ／ｃｍ２・ｓｅｃ、好ましくは４０〜４００ｃｃ／ｃｍ２・ｓｅｃ、より好ましくは５０〜３００ｃｃ／ｃｍ２・ｓｅｃ、さらに好ましくは５０〜２００ｃｃ／ｃｍ２・ｓｅｃの通気度を有するべきであることを見出した。
また、繊維シート状物は、人が不快な風を感じない様にするために、吹出し口から出る風速１ｍ／ｓの風を、シート状物を通過後に０．２ｍ／ｓ以下の風速に風速制御できることが好ましく、風速を０．１ｍ／ｓ以下に制御できるとより好ましい。シート状物を通過後に風速が０．２ｍ／ｓ以下となることにより、人は殆ど風を感じなくなり、快適な冷暖房環境となる。
繊維シート状物はこれらを単独で用いるか、あるいは２種あるいはそれ以上のものを積層して使用することができる。繊維シート状物は、織編物、不織布、フェルトなどの布帛であり、特に織編物が好適に使用される。織物組織としては平織、斜文織、朱子織ジャガード織等を用いることができ、また編物組織としては天竺、両面編、ハーフトリコット編、ダブルラッセル編等、丸編や経編の各種編組織を用いることができる。
このような織編物は、繊維シート状物１として１枚単独で使用することができるが、繊維シート状物１内部に進入した空気の整流性もしくは滞留性、透け性（居室空間Ｌから天井面を見上げたときに天井裏内部の例えば送風装置や送風口がシート状物を介して透けて見える程度）を改善する目的で、裏側に別の織編物や不織布を積層した状態で用いることもできる。積層する場合は、接着されていても、非接着の状態でも良く、接着する場合は２つの層の間を接着剤で接着する方法や、縫製で接着する方法が好ましい。
【００３４】
繊維シート状物１は、開口率が０．２〜３５％であるものが好ましい。繊維シート状物の開口率が０．２％未満であると、送風口からの空気が遮断され、温度調節の効率が悪くなると共に、繊維シート状物が硬く伸度がなくなるため、天井仕切り面にきれいに張ることが困難となる。さらには、繊維シート状物は着脱自在に取り付けることによって、一定期間が経過した後に、これを洗濯し再利用するようにすることができるが、開口率が０．２％未満であると、繊維シート状物に洗濯時にシワが入り易くなり見栄えが悪いものとなる。一方、繊維シート状物の開口率が３５％を超えると、天井裏が透けて見え易く、室内の外観品位が劣るものとなる。繊維シート状物のより好ましい開口率は０．３〜３０％であり、さらに好ましくは０．４〜２５％である。
【００３５】
更に、繊維シート状物１として布帛等の繊維シート状物を用いた場合、天井裏側が透けて見えない様にするために、測色計により繊維シート状物である天井部材１ｂの裏側に標準白色板を配置して測定した明度と、繊維シート状物である天井部材１ｂの裏側に標準黒色板を配置して測定した明度差△Ｌが３〜２０であることが好ましい。△Ｌが２０を超えると、繊維シート状物１を通して天井や壁の裏側が透けて見え易く、△Ｌが３未満であると、透け難いものの空気の通過性が低下し、空調効率の悪いものとなる。△Ｌは５〜１７がより好ましく、さらに好ましくは７〜１４である。
また、繊維シート状物１として布帛等の繊維シート状物を用いた場合、シワや弛みがなくきれいに仕切り面に張るためには、繊維シート状物１のタテ方向及び又はヨコ方向の伸度である伸長率が、６〜１２０％が好ましく、より好ましくは１０〜１００％、さらに好ましくは１５〜８０％である。タテ方向及び又はヨコ方向の伸長率が６％未満であると、繊維シート状物１をシワや弛みのない状態できれいに張ることが困難となり、さらには取り外して洗濯をする場合、洗濯後にシワが入り易くなる。一方、伸長率が１２０％を超えると、繊維シート状物１を張る際に繊維シート状物１の密度調整が困難となり、張り方により空気の通過性、光の透過性等が大きく異なるものとなる。
尚、繊維シート状物の繊維シート状物１を天井に張った後にこれが弛んでこない様にするには、繊維シート状物の伸長残留率が０〜１５％であることが好ましく、より好ましくは０〜１０％である。
【００３６】
繊維シート状物１が織編物で構成される場合、織編物は２重構造の織編物であることが好ましい。織編物がダブル丸編地、ダブルラッセル編地、２重織物等の２重構造であることにより、２層の織編物の層が送風口からの空気をより拡散し整流させる効果として働くため、室内の温度分布がより均一となる。また空気の通過性を遮断し過ぎることなく、裏側の透け性をより防止することができるものとなる。
繊維シート状物１の繊維シート状物が２重構造の織編物で構成される場合、織編物は表裏２層の編地を連結糸で間隔を空けて連結したダブルラッセル編地、即ち立体編物であることがより好ましい。立体編物はタテ方向及びヨコ方向にストレッチ性を有すると同時に面剛性が高いため、天井の広い面積に張る際の施工性が良好となり、大きな張力を掛けて張る場合や殆ど張力を掛けない場合においてもシワがなく、きれいな外観で天井に張ることができる。特に立体編物の連結糸にモノフィラメントを使用することにより、形態安定性と面剛性が向上し、シワや弛みの発生し難い繊維シート状物１となると共に、人や物が触れても変形等が起こり難く、耐久性も向上する。
【００３７】
繊維シート状物１には、ポリエステル系繊維、ポリアミド系繊維、ポリアクリル系繊維、ポリプロピレン系繊維、ポリ塩化ビニル系繊維等の合成繊維、綿、麻、ウール等の天然繊維、キュプラレーヨン、ビスコースレーヨン、リヨセル等の再生繊維等、任意の繊維を用いることができる。また、繊維シート状物１に用いる繊維には、消臭、抗菌、防カビ、制電、防汚等の薬剤が練り込まれているか、又は後加工にて加工処理されていることが、室内の空気を清浄化したり、衛生的に使用する上で好ましい。また、難燃剤が練り込みや後加工で付与されていることが、防炎上好ましい。さらには、繊維シート状物１に用いる繊維に酸化チタン等の白色顔料が０．５ｗｔ％以上の高濃度で含有されていると、透け性を防止する上で好ましい。
繊維シート状物１に用いる繊維は、繊維シート状物１の強度、空気、光りの透過性を考慮して５０〜１０００デシテックスの繊度のものを用いることが好ましく、より好ましくは７０〜５００デシテックスであり、更に好ましくは７０〜３００デシテックスである。また、繊維の形態は天井裏が透けて見え難くかつ、繊維シート状物の整流性（繊維シート状物の内部に進入した空気がその内部で均一に拡散しつつ風速を減じて内部を通過する性質）を良好にするために嵩高糸であることが好ましい。嵩高糸としては、例えば、仮撚加工糸、ジェットスタッファー加工糸、押し込み加工糸、紡績糸、ループ状毛羽を有する流体噴射加工糸等、嵩高性が付与された糸が挙げられる。
【００３８】
繊維シート状物１が立体編物である場合、立体編物は、ダブルラッセル編機やダブル丸編機等、２列の針列を有する編機で形成される。
立体編物の連結糸には、ポリトリメチレンテレフタレート繊維、ポリエチレンテレフタレート繊維、ポリブチレンテレフタレート繊維、ポリアミド繊維、ポリプロピレン繊維、ポリ塩化ビニル繊維、ポリエステル系エラストマー繊維等、任意の合成繊維を用いることができるが、リサイクルを容易にしたり、長期使用時の黄変を防止するにはポリエステル系の繊維を用いることが好ましい。また、連結糸は立体編物に適度な弾性を持たせて、天井や壁に張力を掛けて張る際の形状安定性や面剛性を良好にするためにモノフィラメント糸を用いることが好ましい。
連結糸に用いる繊維は２０〜５００デシテックスの繊度のものを用いることが寸法安定性、柔軟性、軽量性、取り扱い性を良好にする上で好ましく、より好ましくは２０〜３００デシテックス、さらに好ましくは２０〜２００デシテックスである。
【００３９】
また、立体編物は、表裏の編地を同一柄で構成することもできるが、表裏の編地を異なる柄にすることもできる。表裏の編地を同一柄にする場合は、編地がメッシュ状である場合は、表裏のメッシュの位置が表裏で一致しないよう、開口部の位置をずらせることが好ましい。これにより、天井裏の透けが防止できると共に、送風口からの空気の整流性が良好となる。
一方、立体編物の表裏の柄を異なる柄とする場合は、表裏の編地で開口率差をつけることにより、空気の整流性を調節できるものとなるため好ましい。表裏の編地の密度差は表／裏の開口率比が０．１〜１０であることが、整流性を向上させる上で好ましく、より好ましくは０．２〜７である。これ以上に密度差が大きくなると、整流性、防透け性の面で立体編物である効果がなくなる。
尚、立体編物の開口率は、虫が立体編物の中に入り込むことを防止するため、居室空間Ｌ側の表面の開口率を０．２〜１５％にし、また、１つの開口部の面積を２ｍｍ２以下とすることが好ましい。
【００４０】
繊維シート状物１の厚みは、２次元の織編物の場合、０．５〜２．５ｍｍが好ましい。また、立体編物の場合は、２〜１０ｍｍの厚みのものが好ましく、より好ましくは２〜８ｍｍ、さらに好ましくは２〜４ｍｍである。
繊維シート状物１が織編物の場合において、その密度は、織物の場合、経密度が７０〜１５０本／２．５４ｃｍ、緯密度が５０〜１２０本／２．５４ｃｍが好ましい。また、編物の場合は、コース密度が１３〜６０コース／２．５４ｃｍ、ウエール密度が１２〜５０ウエール／２．５４ｃｍの範囲であることが好ましい。より好ましくはコース密度が１８〜５０コース／２．５４ｃｍ、ウエール密度が１４ウエール／２．５４ｃｍ〜３５ウエール／２．５４ｃｍである。
【００４１】
尚、繊維シート状物１が立体編物の場合、立体編物に適度な剛性を持たせて形状安定性を向上させるために、立体編物２．５４ｃｍ平方（６．４５ｃｍ２）の面積中にある連結糸の本数をＮ（本／６．４５ｃｍ２）、連結糸の繊度（ｄｔｅｘ）をＤ（ｇ／１×１０６ ｃｍ）、連結糸の比重をρ（ｇ／ｃｍ３）とした時、立体編物２．５４ｃｍ平方（６．４５ｃｍ２）の面積中にある連結糸の総断面積（Ｎ・Ｄ／１×１０６・ρ）が０．０２〜０．１５ｃｍ２であることが好ましい。
【００４２】
本発明の繊維シート状物１は必要に応じて、染色やプリント加工を施すことができる。染色やプリント加工を行うことにより、表面に高級感や意匠性を付与するだけでなく、透け性を改善することや、長期間の使用による汚れを目立ち難くすることが可能となる。染色の方法としては、糸染め、反染めが好ましく、プリント加工方法としては転写プリントやインクジェットプリントが好ましい。
【００４３】
前述したように、板状部材２、側方板部材１ｃは、前記空気層Ｒ内に送り込まれた空気を居室等の室内空間Ｌ以外（天井裏等）にほとんど通過させない程度に気密性を有するものであれば、材料を特に規定しないし、２種類以上の材料を組み合わせて使用してもよい。また、この気密性を有する板状部材は、断熱性を有するものとすると、空気層Ｒの内部が断熱され、温度変化の少ない安定した空気を居室空間Ｌ側に送り込むことができ、冷房効率がより高まる。また、空気層Ｒの仕切り面において結露の発生が防止することができるので、特に好ましい。
この種の断熱効果を有する板状部材としては、フェノールフォームやポリスチレンフォーム等のプラスチック系断熱材等が挙げられる。また、石膏ボードや合板、プラスチック系防湿フィルム、透湿防水シート等の断熱効果の小さい板状部材の上に、ロックウールやグラスウール等の繊維系断熱材を組み合わせて使用してもよい。
【００４４】
また、繊維シート状物１による整流作用を発揮させ、室内空間内に冷暖気を拡散する効果を高めるためには、天井裏側仕切り材２、側方板材１ｃを構成する前記板状部材が気密性を有しているだけでなく、ダクト４の接続部や板状部材同士の境界部等、繊維シート状物１により構成されている部分以外が完全に密封されているのが好ましい。密封は、板状部材を隙間無く施工することで達成できるが、より気密性を増すために、気密テープや気密パッキン材、シーリング材などの気密補助材を用いて隙間部を埋めてもよい。また、一般的な天井仕上げ方法であるクロス貼りによっても気密性を達成することができる。
【００４５】
以上説明した実施形態では、冷房装置である送風装置３が運転されると、居室空間Ｌ内から空気が吸引され、冷却されてダクト４を通って空気層Ｒ内に送り込まれる。空気層Ｒ内に送り込まれた空気は、対向する繊維シート状物１に向かうが、繊維シート状物１が適度の通気性を有しているので、大部分は繊維シート状物１を通過せずに空気層Ｒの中を水平方向に広がり、繊維シート状物１のほぼ全面に均一に行き渡って、繊維シート状物１を通過して居室空間Ｌ内に向けてほぼ均一でゆっくりとした風速で下方に向けて対流する。
従って、一般的な対流式冷房と比較して、居住者は、身体に当たる風をほとんど感じることがなく、強風によって冷え過ぎることもない上、皮膚表面から水分を奪われにくく、肌が乾燥しにくい。また、冷気がゆっくりと対流するために、一般の対流式冷房よりも居室内の温度変動が大幅に小さくなる。従って、丁度良くなったり暑くなったり、あるいは、丁度良くなったり寒くなったりを繰り返すことはなく、居室内の人にとって常に快適な室温を保つことができる。更に、冷気は上から下へと落下するため、上下方向の温度分布が非常に小さくなる。従って、一般的な対流式冷房のように足元だけが冷え過ぎることはなく、長時間着座していても快適な冷房効果を感じることができる。
また、天井輻射型の冷房と比較しても、対流によって冷気が居室全体に行き渡るため、涼しい場所とそうでない場所との斑は生じにくく、どの場所でも快適な冷房効果を感じることができる。更に、対流式であるため、冷やされた空気が室内に流れることによって室内が冷却されるため、運転開始からの室内の温度が安定するまでの時間が短く、すぐに冷房の効果を感じることができる。
【００４６】
尚、図１では、ダクト４が一本のみ示されているが、特に居室が広い場合などは、複数本のダクト４を用いてもよいことは言うまでもない。例えば、空気層Ｒの複数の箇所に同時に空気が送り込まれるようにするために、送風装置３に一端が接続されたダクト４の他端側を、分岐チャンバーを介して複数のダクトに分岐させ、各分岐ダクトの先端を空気層Ｒの複数の箇所に接続するようにすることができる。また、ダクト先端（空気吹出口５）の空気層Ｒへの接続は、ダクト先端を天井裏側仕切り材２の開口部に直接取り付けるようにしてもよいが、天井裏側仕切り材２の開口部に吹き出しチャンバーを設け、そのチャンバーにダクト先端を接続するのが、施工が容易で好ましい。
更に、空気層Ｒの近辺に送風装置３を設置することにより、ダクト４を使用せず、送風装置３から空気層Ｒに直接空気を送り込むようにしてもよい。
【００４７】
また、図示例では、空気層Ｒは、送風装置３が設置されている場所を除き、天井面のほぼ全面に渡って設けられているが、送風装置３を天井面から離間した場所に設置する等により、天井面の実質的にほぼ全面を繊維シート状物１によって構成することもできる。また逆に、送風装置３の設置とは無関係に、空気層Ｒを天井面の一部分だけに設けてもよいし、一室に対して複数の空気層Ｒを設け、一基の送風装置３から各空気層Ｒに空気を送り込むようにすることもできる。
【００４８】
次に図４（ａ）〜（ｂ）及び図５（ａ）〜（ｂ）を参照しながら本発明の第二の実施形態に係る建物の室内空間の仕切り構造を説明する。
図中１０は、天井面全体に渡って敷設されている天井材を構成する板状部材であり、その上部、つまり天井裏には、冷房装置である送風装置（図示せず）が設置されている。そして、板状部材１０の所定位置には開口部１０ａが形成され、一端が送風装置の送風口に接続されたダクト１１の他端が該開口部１０ａに密封して接続されている。また、板状部材１０の下面（天井面）には、矩形枠状のパイプ材１２ａと該パイプ材１２ａの内側縁部に一辺縁部が接合され他辺が矩形枠内側に位置せしめられたアングル材１２ｂとからなるフレーム（取り付け枠）１２が、アングル材１２ｂの他辺を板状部材１０に取り付けられて設けられており、ダクト１１の他端が接続された開口部１０ａは、この矩形枠状のフレーム１２に囲まれた内側部分に位置している。
【００４９】
そして、図５に示されるように、フレーム１２に、第一の実施形態における場合と同様の天井仕切り面を構成する繊維シート状物１３が、フレーム１２全体を下から覆って被せられ、フレーム１２に着脱自在に取り付けられており、板状部材１０、フレーム１２、繊維シート状物１３によって、空気層Ｒが形成される。ここで、フレーム１２への繊維シート状物１３の取り付け方法は、着脱自在とできるならば、マジックテープで接着する方法、金属や樹脂製のフック状物で引掛ける方法、ボルトやナットで接合する方法、周囲を巾着状に縫製し紐を絞って取り付ける方法、繊維シート状物１３の周囲に穴を設け、その穴を通してネジ等で固定する方法等、如何なる方法でも構わない。また、その際、繊維シート状物１３は、例えば略四角形状の織編物からなる場合、周囲の端部がほつれない様に縫製又は溶着等の処理が行われており、取り付け枠に脱着することができる様に、周囲に取り付け枠との接合用部材が取り付けられていることが好ましい。尚、端部の融着とは、熱融着や超音波等による融着等、端部を融かしてほつれを防止することをいう。
【００５０】
特に、繊維シート状物１３の周囲に用いる取り付け枠として、繊維シート状物１３の周囲の少なくとも一部に、天井の取り付け部材と接合させるＵ字状、Ｊ字状やＶ字状等の引掛け部を有する縫製可能な樹脂製フレームを用い、該樹脂製フレームと表面材を縫製により接合すると、外観上きれいな接合部となり、又、接合部の強度も高く好ましい。尚この際、樹脂製フレームが結露しない様に、また樹脂製フレームの内側が冷気によって冷やされすぎない様にするため、樹脂製フレームの内側や、天井側に発泡樹脂、発泡ゴム、不織布、綿等の断熱材を配置することが好ましい。
【００５１】
ここで、フレーム１２や繊維シート状物１３の大きさは、空気層Ｒが居室天井のほぼ全体に渡って設けられるように、十分に大きいものにすることは可能であるが、居室の天井面を複数の矩形領域に分割して各領域に適度のサイズのフレーム１２や繊維シート状物１３等を設け、送風装置から分岐したダクト１１を介して各領域に空気が送り込まれるようにすることができ、このようにすると、繊維シート状物１３の着脱や洗濯等が容易となる。
【００５２】
第一の実施形態におけるのと同様に、この実施形態では、送風装置が運転されると、冷気がダクト１１を通って空気層Ｒ内に送り込まれる。空気層Ｒ内に送り込まれた空気は、対向する繊維シート状物１３に向かうが、繊維シート状物１３は適度の通気性を有しているので、空気層Ｒの中を水平方向に広がり、繊維シート状物１３のほぼ全面に均一に行き渡って整流され、繊維シート状物１３を通過して居室空間Ｌ内に向けてほぼ均一でゆっくりとした風速で下方に向けて対流する。
従って、第一の実施形態における場合と全く同様の効果が得られ、居住者は快適な冷房効果を感じることができる。加えて、本実施形態では、板状部材１０として通常の天井構造の天井材を利用することにより、既存の住宅の天井構造を改造して製作することができる利点がある。更に、繊維シート状物１３をフレーム１２に着脱自在に取り付けているので、繊維シート状物１３を取り外して清掃したり家庭用洗濯機等で洗濯したりできるという利点もある。
特に、フレーム１２や繊維シート状物１３を複数に分割した場合は、その取り付け、取り外し、洗濯等が容易であり、便利である。また、繊維シート状物１３やフレーム１２の形状、配置、数、設置位置等を適宜変更することにより、天井面の意匠性を高めることもでき、複数種のデザイン等の異なる繊維シート状物を用意しておけば、繊維シート状物１３を代えることにより、居室の模様替えなども可能となる。
【００５３】
更に、フレーム１２や繊維シート状物１３を複数に分割する場合、同一居室内でも場所によって冷房効果を変えたい場合など、室内環境や他の事情によっては、通気性が異なる繊維シート状物１３を用いて設置場所に応じて通気性が異なるようにすることも考えられる。
また、第二の実施形態では、天井材の下面にフレーム１２や繊維シート状物１３を設けたが、図１に示した構造におけるように、通常の天井材より上方に板状部材を敷設してその板状部材の下面にフレーム１２や繊維シート状物１３を設けることもでき、その場合、第一の実施形態における場合のように通常の天井材の一部が残されて、その天井裏側が送風装置の設置場所とされている場合などには、その残された天井材の高さと繊維シート状物１３の高さを同じにするのが意匠上好ましい。
【００５４】
以上は、天井構造に係る建物の室内空間の仕切り構造の発明の実施形態であるが、本発明は送風システム自体にも関する。よって、本発明の第三の実施形態は、建築物の内部空間に空気を送り込むための送風システムに関し、建築物の内部空間に空気を送り込むための送風装置と、送風装置の送風口が接続されると共に建築物の内部空間に位置せしめられるチャンバーを具備し、前記チャンバーの下方の仕切りである側壁部は、前記送風装置から供給される空気が、空気層および繊維シート状物を経由して該下方側の仕切りである壁部全体から室内空間に分散する４０〜６５０ｃｃ／ｃｍ２・ｓｅｃの通気度の繊維シート状物によって形成され、前記チャンバーの他の仕切りである壁部は板状部材で構成されている。
この実施形態は、送風システムに係るものであって天井構造に係るものではないが、図１等に示される天井構造も本実施形態に係る送風システムである。すなわち、本実施形態に係る送風システムは、第一の実施形態と同様の構成を具備するもので、建築物の空間は、第一の実施形態における居室空間Ｌであり、送風装置は第一の実施形態における送風装置３であり、チャンバーは第一の実施形態における空気層Ｒであり、チャンバーの仕切りである下方側の壁部は繊維シート状物１であり、チャンバーの他の仕切りである壁部は板状部材からなる天井裏側仕切り材２及び側方板材１ｃである。
よって、当然ながら、本実施形態では、第一の実施形態における場合と同様の作用効果が奏される。
【００５５】
前記第三の実施形態において、チャンバーを、建物の室内空間の仕切り構造（または天井構造）とは無関係の部材で構成することも可能で、チャンバーの仕切りである下側壁部を繊維シート状物で形成し、その他の仕切りである壁部（上側壁部及び側壁部）を板状部材で形成し、天井に設けられた空気吹き出し口がチャンバー内の空間に直接又はダクトを介して連通するように、チャンバーを天井面に近接させて配設してもよい。このような実施形態では、住宅の天井に設置することは必須ではなく、空気の送り込みを必要とする天井又は天井相当物を備えた建築物の任意の空間に冷気等の空気を送り込む送風システムとすることができる。例えば、ビルやホテルの部屋や他の空間、地下通路等々である。
【００５６】
本発明の第四の実施形態は、送風装置の送風口が接続されると共に建築物の内部空間に位置せしめられるチャンバーに係り、前記チャンバーの下方側の壁部は、前記送風装置から供給される空気が、空気層および繊維シート状物を経由して該下方側の壁部全体から室内空間に分散する４０〜６５０ｃｃ／ｃｍ２・ｓｅｃの通気度の繊維シート状物によって形成され、前記チャンバーの他の壁部は板状部材で構成されている。
この実施形態は、第三の実施形態に係る送風システムにおいて、送風装置を除いたものであり、既存の送風システムに設置して、先の実施形態におけるのと同様の効果を達成することができ、既存の送風システムをより快適なものに改造するができる。
【００５７】
以上の実施形態では、仕切り構造が天井に設けられ、送風装置は冷房装置で、冷気を対流させる天井構造であり、送風システムであり、送風装置であったが、本構造、システム、装置は、天井以外に壁にも適用可能である。また、冷気ではなく暖気を対流させることで、暖房として使用することも可能である。冷気の場合と比較して、高さ方向の温度分布の均一性は低下するが、風を感じにくいという点では優れた暖房効果を発揮する。また、居室の暖房において、床暖房は温度分布の均一性には優れているが、居室が暖まるまでに時間がかかるという欠点がある。そこで、床暖房と本発明に係る天井構造、送風システム、整流装置による暖房を、暖房初期のみ併用し、その後床暖房のみを使用すると、天井からの暖気で部屋を速やかに温度分布の均一な暖房環境を実現することが可能である。よって、送風装置は、冷房だけでなく暖房も兼ねた装置とするのが好ましい。
【施工例】
【００５８】
以下、本発明を施工例によって具体的に説明するが、本発明は実施例に限定されるものではない。先ず、本実施例に用いられる評価及び測定方法を以下の通りである。
【００５９】
（１）風速測定
京都電子工業（株）製アメニティメータＡＭ１０１を居室中央、床面からの高さ１２０ｃｍの環境が測定できるように設置し、１０分間隔でデータを自動記録する。
（２）温度測定
床表面からの高さが１５ｃｍ、６０ｃｍ、１２０ｃｍ、１８０ｃｍ、２３０ｃｍの室温が測定できるように、居室内の４箇所（詳細は図６（ｃ）参照）に立てた細いポールにＴ熱電対を固定する。居室内に設置したＴ熱電対を日置電機（株）製メモリハイロガー８４２１−５０に接続し、１０分間隔でデータを自動記録する。
【００６０】
施工例は、以下に示す立体編物Ｘと立体編物Ｙを製作し、図６のように室内空間の天井全面にこれらを積層して天井仕切り材としたものである。この積層した繊維シート状物の通気度、重量、開口率等は以下の通りであった。
通気度：３４７ｃｃ／ｃｍ２・ｓｅｃ、 重量：１７９０ｇ／ｍ2、 開口率：２．４％
【００６１】
［立体編物Ｘ］
６枚筬を装備した２２ゲージ、釜間４．２ｍｍのダブルラッセル編機を用い、表面の編地を形成する筬（Ｌ１、Ｌ２）から１１０ｄｔｅｘ／６０フィラメントのポリエチレンテレフタレート繊維の仮撚糸をＬ１の筬に３イン１アウトの配列で、Ｌ２の筬に（１イン）１アウト３インの配列で供給し、連結糸用の筬（Ｌ３）から３０ｄｔｅｘのポリエステルモノフィラメントをオールインの配列で供給し、また、裏面の編地を形成する筬（Ｌ５）から、１６７ｄｔｅｘ／４８フィラメントのポリエチレンテレフタレート原糸をオールインの配列で供給した。
（編組織１）に示す編組織で、機上コース３３コース／２．５４ｃｍの密度で生機を編成し、得られた生機を７０℃で精練後、１８０℃×２分の乾熱ヒートセットを行い、編密度が４１コース／２．５４ｃｍ、２０ウエール／２．５４ｃｍ、厚みが３．１の立体編物Ｘを得た。
（編組織１）
Ｌ１：２０２２／２４２２／２０２２／２４４４／６８６６／
６４６６／６８６６／６４４４／
Ｌ２：６８６６／６４６６／６８６６／６４４４／２０２２／
２４２２／２０２２／２４４４／
Ｌ３：２０２０／０２０２／
Ｌ４：２２２０／２２２４／
【００６２】
［立体編物Ｙ］
６枚筬を装備した１８ゲージ、釜間１２ｍｍのダブルラッセル編機を用い、表面の編地を形成する筬（Ｌ１、Ｌ２）から１６７ｄｔｅｘ／４８フィラメントのポリエチレンテレフタレート原糸を、連結糸用の筬（Ｌ３、Ｌ４）から２００ｄｔｅｘのポリエチレンテレフタレートモノフィラメントを、また、裏面の編地を形成する筬（Ｌ５、Ｌ６）から、１６７ｄｔｅｘ／４８フィラメントのポリエチレンテレフタレート原糸を、Ｌ１、Ｌ３、Ｌ５の筬に１イン１アウトの配列で、Ｌ２、Ｌ４、Ｌ６の筬に１アウト１インの配列で供給した。
（編組織２）に示す編組織で、機上コース２２コース／２．５４ｃｍの密度で生機を編成し、得られた生機を７０℃で精練後、１８０℃×２分の乾熱ヒートセットを行い、編密度が３２コース／２．５４ｃｍ、１２．６ウエール／２．５４ｃｍ、厚み８ｍｍの立体編物Ｙを得た。
（編組織２）
Ｌ１：４６４４／４２４４／４６４４／４２４４／４６４４／４２２２／
２０２２／２４２２／２０２２／２４２２／２０２２／２４４４／
Ｌ２：２０２２／２４２２／２０２２／２４２２／２０２２／２４４４／
４６４４／４２４４／４６４４／４２４４／４６４４／４２２２／
Ｌ３：４２４２／４６４６／４２４２／８10８10／４２４２／４６４６／
６８６８／６４６４／６８６８／２０２０／６８６８／６４６４／
Ｌ４：６８６８／６４６４／６８６８／２０２０／６８６８／６４６４／
４２４２／４６４６／４２４２／８10８10／４２４２／４６４６／
Ｌ５：４４４６／４４４２／４４４６／４４４２／４４４６／４４４２／
２２２０／２２２４／２２２０／２２２４／２２２０／２２２４／
Ｌ６：２２２０／２２２４／２２２０／２２２４／２２２０／２２２４／
４４４６／４４４２／４４４６／４４４２／４４４６／４４４２／
【００６３】
（建物の室内空間の仕切り構造（天井構造）の施工）
約８畳の居室に図６（ａ）〜（ｃ）に示すような天井構造（送風システム）を施工した。図中、２０は天井仕切り材を構成する繊維シート状物、２１は板状部材、２２はエアコン室内機（三菱電機製 三菱ハウジングエアコンＭＢＺ−２８ＰＳを使用）、２３はダクト、２４は吹き出し部、２５は換気扇である。図から分かるように、板状部材２１に複数の開口部を形成し、それに連通させて複数の吹き出し部２４を設け、ダクト２３の一端をエアコン室内機２２の送風口に、他端を、分岐手段を適宜介して分岐させて各吹き出し部２４に接続した。また、繊維シート状物２０は板状部材２１の下方に一定間隔を開けて設け、板状部材２１と繊維シート状物２３の間に空気層Ｒを形成したが、この実施例では、板状部材２１に支持部材２６を介して固定用フラットバー２７を取り付け、このフラットバー２７によって繊維シート状物２０を支持した。繊維シート状物２０としては、実施例１で製作した立体編物Ａと立体編物Ｂの積層体を、立体編物Ａが居室側、立体編物Ｂが空気層Ｒ側になるようにして敷設した。尚、繊維シート状物２０は、エアコン室内機２２が設置されている部分を除き、居室のほぼ全域をカバーするようにして敷設した。
【００６４】
（冷房試験）
上記建物の室内空間の仕切り構造（天井構造）において、設定温度を２５℃、風量自動として午前９時から午後１８時まで冷房運転を実施した。運転中の外気環境は、平均温度が２７．１℃、平均相対湿度が７０．８％であった。
この冷房運転の結果を図７（ａ）、図８（ａ）、図９（ａ）に示す。図７（ａ）は、居室中央部に設置した風速計２８によって測定した風速を示し、図８（ａ）は居室中央部の温度変化を示し、図９（ａ）は、居室の４箇所に設けた温度分布測定手段２９によって測定した居室内４箇所の各高さの平均（午前１０時から午後１８時）の温度分布を示す。
図７（ａ）からも分かるように、居室中央部の平均風速は、０．０２ｍ／ｓであり、室内にいても肌に風が当たることを殆ど感じることがなかった。また、図８（ａ）の温度の経時変化に示されるように、運転中の温度変動は小さく、丁度良い設定温度にすると長時間室内に居てもずっと心地良い涼しさが持続した。また、居室内の温度が安定するまでに要した時間はおよそ１５分であり、涼しく感じるまでに長い時間が掛かることはなかった。更に、図９（ａ）に示されるように、垂直方向、水平方向共に温度分布は殆どなく、長時間椅子に着座していても足元が冷えすぎることはなかった。
【００６５】
（従来のエアコンによる冷房試験）
施工例で使用した居室に、図６（ｃ）に示すように、一般的に使用されている壁掛け型の対流型冷暖房装置（ダイキン工業（株）製ダイキンエアコンＳ２８ＧＴＳＳ−Ｗ（Ｃ））３０を設置し、設定を温度２５℃、風量自動、風向き自動として午前９時から午後１８時まで冷房運転した。運転中の外気環境は、平均温度が２８．２℃、平均相対湿度が６８．７％であった。そのときの居室中央部の風速測定結果を図７（ｂ）に、居室中央部の温度変化を図８（ｂ）に、居室中央の高さ方向の平均（午前１０時から午後１８時）の温度分布を図９（ｂ）に示す。
図７（ｂ）に示されるように、居室中央部の平均風速は、０．２ｍ／ｓ、最大風速が０．４ｍ／ｓ近くにもなり、肌に風が当たるのが感じられた。また、図８（ｂ）に示されるように、設定温度になると停止し、温度が上がると再び運転することを繰り返すため、冷房運転時の温度変動が大きく、室内に長時間いると丁度良い涼しさのときもあれば、寒くなったりあるいは暑くなったりして、常に快適と感じられることはなかった。更に、図９（ｂ）に示されるように、上下方向の温度差が大きく、居室内で椅子に２０分ほど座っていると足元がかなり冷えてしまった。
【００６６】
次に、本発明に用いられる繊維シート状物の態様を実施例によって具体的に説明するが、本発明は実施例に限定されるものではない。
本実施例に用いられる各特性の評価及び測定方法を以下にまとめる。
（１）通気度（ｃｃ／ｃｍ２・ｓｅｃ）
ＪＩＳ−Ｌ−１０９６フラジール法に準じて測定する。
（２）重量（ｇ／ｍ２）
繊維シート状物を１０ｃｍ角切り取り、重量Ｗ（ｇ）を測定し、１ｍ２当たりの重量に換算する。
重量（ｇ／ｍ２）＝Ｗ×１００
（３）開口率（％）
繊維シート状物の表側（室内側）又は裏側の拡大写真（５〜２０倍）を直角方向から撮影して１０ｃｍ角の写真（又は撮影写真のコピー）を得て、写真（又はコピー）から単位面積に占める開口部の面積比率を画像処理や重量比等により算出する。２重織編物の場合は表裏の織編物を貫通している開口部の面積比率とする。
【００６７】
（４）伸長率（％）、伸長残留歪（％）
繊維シート状物を３０ｃｍ×５ｃｍ（幅）にサンプリングして、サンプルの一端をチャックに固定して吊るした状態で２０ｃｍの間隔に印を付ける。サンプルのもう一端に荷重１．５Ｋｇｆの荷重をかけて吊るし、５分後に印間の長さＬ１を測定する。その後荷重を取り除き、１分後の印間の長さＬ２を測定し、次の式に従い伸長率、伸長回復率を算出する。
伸長率（％）＝（Ｌ１−２０）／２０×１００
伸長残留歪（％）＝（Ｌ２−２０）／２０×１００
【００６８】
（５）整流性
繊維シート状物の周囲約１ｃｍを裏側に２重に折りたたんで縫製し、１８０ｃｍ角の端部縫製品を得る。さらに周囲に１ｃｍ幅のマジックテープ（凹側）を縫い付け、フレームに脱着可能な繊維シート状物とする。
繊維シート状物を直径２８ｍｍのアルミパイプからなる１８０ｃｍ角の略正方形状のフレーム（４隅は曲率半径３０ｍｍの弧状）を作製し、周囲（外側の辺）にマジックテープ凸側を貼付する。繊維シート状物にやや張力をかけながら、繊維シート状物の表側が室内側となる様に周囲のマジックテープを接合する。繊維シート状物が伸びずに張れない場合は、繊維シート状物の寸法を大きくする。
前記のフレームに取り付けられた繊維シート状物を、天井裏に空調機を有する８畳の広さの部屋の天井中央部に繊維シート状物として固定する。尚、繊維シート状物の裏側は、１０ｃｍの間隔を開けて凹状に繊維シート状物を囲う状態で断熱材が配置されており、断熱材の中央部から天井裏に設置した空調機により送風ダクトを通して温度調整された空気が送風される送風口（直径１００ｍｍ）が設けられている。
外気温が２８〜２９℃の日中に空調機の温度設定を２５℃とし、空調機を運転して３０分後の、繊維シート状物の中央部（床から１．２ｍの高さ）の温度と、中央部から横に１ｍ離れた場所での温度差を測定する（差が小さいほど、整流性良好）。
【００６９】
（６）風速制御性
繊維シート状物を１８０ｃｍ×８３ｃｍの長方形に裁断し、長辺側にＪ字のポリブチレンテレフタレート製樹脂フレームを縫製で取り付け、又、短辺側は長さを３等分した２ヶ所に被係合ホック部（凹側）を取り付けた繊維シート状物パネルを得た。Ｊ字の樹脂フレームを含めた寸法は１８０ｃｍ×８５ｃｍとした。
天井裏に空調機を有する８畳の広さの部屋の天井中央部に、２５ｃｍ×２０ｃｍの吹出し口を設け、空調機の送風口と天井の吹出し口をφ１５０ｍｍのフレキシブルダクトにより接続した。天井面には吹出し口を中央に挟み、９０ｃｍの距離で平行となる様に、長さ１８０ｃｍのアルミ製Ｈ型レールをビス止めし、又、平行したアルミ製Ｈ型レールの両端（２ヶ所）を結ぶ様に、長さ８６ｃｍで長さを３等分した２ヶ所に係合ホック部（凸側）を取り付けたアルミ製レールを天井にビス止めした。
尚、被係合ホック部、係合ホック部は、衣服などの合わせ目に用いる凹凸2個一組の円形の小さな留め金具、鉤(かぎ)状または丸形の留め金（スナップ（snap）、ホック（hook）と呼ばれるもの）を使用している。
繊維シート状物に張力をかけて引張りながら、繊維シート状物パネルの２辺の樹脂フレームのフック部分を天井面の２列のアルミ製Ｈ型フレームに引掛けて、繊維シート状物パネルを天井に張った。更に、繊維シート状物パネルの短辺側の係合ホック部と、天井面のアルミ製レールの被係合ホック部を固定し、繊維シート状物パネルの短辺側の端部２ヶ所の表側を、幅５ｃｍ×長さ９０ｃｍの樹脂カバー材で覆い、繊維シート状物を装着した天井空調システムを作製した。本天井空調システムを図１０に示す。
空調機を冷房運転し、天井の吹出し口から１．０ｍ／ｓの風速で冷風を送る場合に、繊維シート状物の中央部（吹出し口中央部）から２ｃｍ離れた位置の２分間の風速を測定し、平均値を求めた。風速の平均値に基づき、以下の基準で風速制御性を評価する。
◎：風速０．１ｍ／ｓ未満で人が風を感じ難い
○：風速０．２ｍ／ｓ未満で人が殆ど風を感じ難い
△：風速０．２ｍ／ｓ以上０．３ｍ／ｓ未満で人がやや風を感じる
×：風速０．３ｍ／ｓ以上で人がかなり風を感じる
【００７０】
（７）空調効率
（５）と同様の条件で空調機を運転し、表面材の中央真下、床上１．２ｍの温度を運転１０分後と運転６０分後で測定し、１０分後と６０分後の温度差を測定する（差が小さいほど空調効率良好）。
（８）防透け性
マクベス社製分光光度計ＣＥ−３０００を用い、色差色＝ＣＩＥＬａｂ、光源＝Ｃ、視野＝２度の条件で、１０ｍｍ×５ｍｍの測定窓に、裏側に標準白板をあてた状態で表面材を固定して、３回測色してＬ値を測定する。さらに、表面材の裏側に標準黒板をあてた状態で同様にＬ値を測定し、白板と黒板をあてた状態でのＬ値の差の絶対値△Ｌを求める。
【００７１】
（９）フレームへの張りやすさ
（５）で用いたフレームへの張りやすさを、下記の４段階で評価する。
◎：全くシワや弛みがなくきれいに張れる、
○：殆どシワや弛みがなくきれいに張れる、
△：ややシワや弛みが入り易く、きれいに張るのに苦労する、
×：かなりシワや弛みが入り易く、きれいに張れない。
【００７２】
（１０）洗濯後のシワ
ＪＩＳ−Ｌ−１０１８の家庭用洗濯（１０３法）にて、（５）で縫製して作製した繊維シート状物を洗濯ネットに入れた状態で洗濯し日陰干し乾燥した後のシワの状態を、下記の４段階の基準で外観評価する。
◎：シワが殆どない、
○：シワがややあるが気にならない、
△：シワがやや多くやや外観が悪い、
×：シワがかなり多く、非常に外観が悪い。
【００７３】
本発明に用いる繊維シート状物を実施例に基づいて説明する。
＜実施例１＞
６枚筬を装備した２２ゲージ、釜間４．５ｍｍのダブルラッセル編機を用い、表面の編地を形成する筬（Ｌ１、Ｌ２）から５６ｄｔｅｘ／１８フィラメントのポリエチレンテレフタレート原糸をオールインの配列で供給し、連結糸用の筬（Ｌ３、Ｌ４）から３３ｄｔｅｘのポリエステルモノフィラメントをオールインの配列で供給し、また、裏面の編地を形成する筬（Ｌ５、Ｌ６）から、１１０ｄｔｅｘ／６０フィラメントのポリエチレンテレフタレート繊維の仮撚糸をＬ５の筬に３イン１アウトの配列で、Ｌ６の筬に（１イン）１アウト３インの配列で供給した。
（編組織１）に示す編組織で、機上コース３３コース／２．５４ｃｍの密度で生機を編成し、得られた生機を７０℃で精練後、１８０℃×２分の乾熱ヒートセットを行い、立体編物Ａを得た。
（編組織１）
Ｌ１：００００／８８８８／
Ｌ２：２０２２／２４２２／
Ｌ３：４６２４／２０４２／
Ｌ４：２０４２／４６２４／
Ｌ５：６６６４／６６６８／６６６４／４４２０／２２２４／２２２０／
２２２４／４４６８／
Ｌ６：２２２４／２２２０／２２２４／４４６８／６６６４／
６６６８／６６６４／４４２０／
【００７４】
立体編物Ａからなる繊維シート状物の各種物性値を表１に示す。
【表１】
0005243128.tif 000002
【００７５】
本繊維シート状物は、冷気の拡散性、整流性が良好で室内が均一な温度になり易く、また、目標温度に到達する時間も短く、空調効率の高いものであった。更には、下にいる人が殆ど風を感じることなく、快適に過ごせるものであった。
また、本繊維シート状物はシワや弛みがなくフレームにきれいに張れるものであり、さらには洗濯後のシワも殆どないものであった。
【００７６】
＜実施例２＞
実施例１の立体編物において、Ｌ１の筬を取り除き表面の編組織を（編組織２）とし、更に乾熱ヒートセット幅出し率を上げた以外は立体編物Ａと同様にして立体編物Ｂを得た。
（編組織２）
Ｌ２：２０２２／２４２２／
【００７７】
立体編物Ｂからなる繊維シート状物の各種物性値を前記の表１に併せて示す。
本繊維シート状物は、冷気の拡散性、整流性が良好で室内が均一な温度になり易く、また、目標温度に到達する時間も短く、空調効率の高いものであった。更には、下にいる人が殆ど風を感じることなく、快適に過ごせるものであった。
また、本繊維シート状物はシワや弛みがなくフレームにきれいに張れるものであり、さらには洗濯後のシワも殆どないものであった。
【００７８】
＜実施例３＞
実施例１の立体編物において、表面の編地を形成する筬（Ｌ１、Ｌ２）及び裏面の編地を形成する筬（Ｌ５、Ｌ６）に１６７ｄｔｅｘ／４８フィラメントのポリエチレンテレフタレート仮撚加工糸を供給し、表面編組織を（編組織３）とした以外は実施例１と同様にして立体編物Ｃを得た。
（編組織３）
Ｌ１：２０２２／２４２２／
Ｌ２：４６４４／２０２２／
【００７９】
立体編物Ｃからなる繊維シート状物の各種物性値を前記の表１に併せて示す。
本繊維シート状物は、冷気の拡散性、整流性が良好で室内が均一な温度になり易く、また、目標温度に到達する時間も短く、空調効率の高いものであった。更には、風速制御性が極めて良好で、下にいる人が全く風を感じることなく、快適に過ごせるものであった。
また、本繊維シート状物はシワや弛みが殆どなくフレームにきれいに張れるものであり、さらには洗濯後のシワも少ないものであった。
【００８０】
＜実施例４＞
６枚筬を装備した２２ゲージ、釜間４．２ｍｍのダブルラッセル編機を用い、表面の編地を形成する筬（Ｌ１、Ｌ２）から１６７ｄｔｅｘ／１８フィラメントのポリエチレンテレフタレート繊維の仮撚糸をオールインの配列で供給し、連結糸用の筬（Ｌ３）から５６ｄｔｅｘのナイロンモノフィラメントをオールインの配列で供給し、又、裏面の編地を形成する筬（Ｌ５、Ｌ６）から、１６７ｄｔｅｘ／４８フィラメントのポリエチレンテレフタレート原糸をＬ５の筬に３イン１アウトの配列で、Ｌ６の筬に（１イン）１アウト３インの配列で供給した。
（編組織４）に示す編組織で、機上コース３１．８コース／２．５４ｃｍの密度で生機を編成し、得られた生機を７０℃で精練後、１８０℃×２分の乾熱ヒートセットを行い、立体編物Ｄを得た。
（編組織４）
Ｌ１：２０２２／２４２２／
Ｌ２：４６４４／２０２２／
Ｌ３：２０２０／０２０２／
Ｌ５：６６６４／６６６８／６６６４／４４２０／２２２４／２２２０／
２２２４／４４６８／
Ｌ６：２２２４／２２２０／２２２４／４４６８／６６６４／
６６６８／６６６４／４４２０／
立体編物Ｄからなる繊維シート状物の各種物性値を表１に示す。
本繊維シート状物は、冷気の拡散性、整流性が良好で室内が均一な温度になり易く、又、目標温度に到達する時間も短く、空調効率の高いものであった。更には、風速制御性が極めて良好で、下にいる人が全く風を感じることなく、快適に過ごせるものであった。
又、本繊維シート状物はシワや弛みが殆どなくフレームにきれいに張れるものであり、さらには、高密度であるにも係わらず連結糸がナイロンで柔らかいため洗濯後のシワも殆どないものであった。
【００８１】
＜実施例５＞
２２ゲージのダブル丸編機により、１６７ｄｔｅｘ／４８フィラメントのポリエチレンテレフタレート仮撚加工糸を用い、ダブルジャージィの生機を作製した後、得られた生機を７０℃で精練後、１８０℃×２分の乾熱ヒートセットを行った。
得られたダブルジャージィからなる繊維シート状物の各種物性値を前記の表１に併せて示す。
本繊維シート状物は、冷気の拡散性、整流性が良好で室内が均一な温度になり易く、また、目標温度に到達する時間も短く、空調効率の高いものであった。更には、下にいる人が殆ど風を感じることなく、快適に過ごせるものであった。
また、本繊維シート状物はシワや弛みが殆どなくフレームにきれいに張れるものであり、さらには洗濯後のシワも少ないものであった。
【００８２】
＜実施例６＞
４０番の綿／ポリエステル混紡糸を用い平織物の作製し、７０℃で精練後、１８０℃×２分の乾熱ヒートセットを行った。
得られた平織物からなる表面材の各種物性値を前記の表１に併せて示す。
本繊維シート状物は、空調効率が若干悪いが、整流性が良好で、下にいる人が殆ど風を感じることなく、快適に過ごせるものであった。
但し、洗濯後に若干シワが入り易く、また伸度が少ないためにフレームに張る際にシワや弛みがやや入り易いものであった。
【００８３】
＜比較例１＞
６枚筬を装備した１８ゲージ、釜間５．６ｍｍのダブルラッセル編機を用い、表面の編地を形成する筬（Ｌ１、Ｌ２）から３３４ｄｔｅｘ／９６フィラメントのポリエチレンテレフタレート仮撚加工を、連結糸用の筬（Ｌ３、Ｌ４）から２００ｄｔｅｘのナイロンモノフィラメントを、また、裏面の編地を形成する筬（Ｌ５、Ｌ６）から、１６７ｄｔｅｘ／４８フィラメントのポリエチレンテレフタレート原糸を、Ｌ１、Ｌ３、Ｌ５の筬に１イン１アウトの配列で、Ｌ２、Ｌ４、Ｌ６の筬に１アウト１インの配列で供給した。（編組織４）に示す編組織で、機上コース２２コース／２．５４ｃｍの密度で生機を編成し、得られた生機を７０℃で精練後、１８０℃×２分の乾熱ヒートセットを行い、立体編物Ｄを得た。
【００８４】
（編組織４）
Ｌ１：４６４４／４２４４／４６４４／４２４４／４６４４／４２２２／
２０２２／２４２２／２０２２／２４２２／２０２２／２４４４／
Ｌ２：２０２２／２４２２／２０２２／２４２２／２０２２／２４４４／
４６４４／４２４４／４６４４／４２４４／４６４４／４２２２／
Ｌ３：４２４２／４６４６／４２４２／８10８10／４２４２／４６４６／
６８６８／６４６４／６８６８／２０２０／６８６８／６４６４／
Ｌ４：６８６８／６４６４／６８６８／２０２０／６８６８／６４６４／
４２４２／４６４６／４２４２／８10８10／４２４２／４６４６／
Ｌ５：４４４６／４４４２／４４４６／４４４２／４４４６／４４４２／
２２２０／２２２４／２２２０／２２２４／２２２０／２２２４／
Ｌ６：２２２０／２２２４／２２２０／２２２４／２２２０／２２２４／
４４４６／４４４２／４４４６／４４４２／４４４６／４４４２／
【００８５】
得られた立体編物Ｄからなる繊維シート状物の各種物性値を前記の表１に併せて示す。
本繊維シート状物は整流性が非常に悪く局部的に冷風が送風され、下にいる人が不快な風を感じるものであった。
【００８６】
＜比較例２＞
６枚筬を装備した２２ゲージ、釜間４．５ｍｍのダブルラッセル編機を用い、表面の編地を形成する筬（Ｌ１、Ｌ２、Ｌ５、Ｌ６）から１６７ｄｔｅｘ／４８フィラメントのポリエチレンテレフタレート仮撚加工糸をオールインの配列で供給し、連結糸用の筬（Ｌ３、Ｌ４）から３３ｄｔｅｘのポリエステルモノフィラメントをオールインの配列で供給した。
（編組織５）に示す編組織で、機上コース３３コース／２．５４ｃｍの密度で生機を編成し、得られた生機を７０℃で精練後、１８０℃×２分の乾熱ヒートセットを行い、立体編物Ｅを得た。
（編組織５）
Ｌ１：２０２２／４６４４／
Ｌ２：２４２２／２０２２／
Ｌ３：２４２０／４２４６／
Ｌ４：４２４６／２４２０／
Ｌ５：２２２４／２２２０／
Ｌ６：４４２０／２２４６／
【００８７】
立体編物Ｅからなる繊維シート状物の各種物性値を前記の表１に併せて示す。
本繊維シート状物は、整流性は良好で下にいる人が殆ど風を感じることがなかったものの、室内が目標温度に達するまでに時間がかかり空調効率が悪いものであった。
また、本繊維シート状物はシワや弛みが殆どなくフレームにきれいに張ることが難しく、さらには洗濯後のシワも激しいものであった。
【００８８】
＜比較例３＞
空気が通過する織布として、１６７ｄｔｅｘ／１４４フィラメントのポリエステル繊維を用い、経密度１６７本／２．５４ｃｍ、緯密度１２６本／２．５４ｃｍ、通気度２５ｃｃ／ｃｍ２・ｓｅｃの織物を表面材として使用した。本表面材は、整流性については良好で下にいる人が殆ど風を感じることがなかったものの、室内が目標温度に達するまでに非常に時間がかかり空調効率が悪いものであった。
又、本表面材はシワや弛みが殆どなくフレームにきれいに張ることが難しく、さらには洗濯後のシワも激しいものであった。
【産業上の利用可能性】
【００８９】
本発明の建物の室内空間の仕切り構造、送風システム、チャンバーは、身体にあたる風をほとんど感じず、居室等の空間内の温度変動がほとんどない上、上下方向の温度分布が小さいため快適な温度を保持できるという、建築物内の人にとってより快適な対流による冷房等を行うことができるものである。よって、住宅建物はもとより、より一般の建築物にあって送風を必要とされる場所に幅広く利用できる。
【図面の簡単な説明】
【００９０】
【図１】本発明の第一の実施形態に係る建物の室内空間の仕切り構造（天井構造）を示す概略図である。
【図２】本発明の仕切り構造の種々の実施形態を示す模式図である。
【図３】繊維シート状物の通気抵抗を説明するための模式図で、（ａ）は通気抵抗が少な過ぎる場合、（ｂ）は通気抵抗が適度である場合、（ｃ）は通気抵抗が大き過ぎる場合をそれぞれ示す。
【図４】本発明の第二の実施形態に係る建物の室内空間の仕切り構造（天井構造）を示す概略図で、（ａ）は繊維シート状物を敷設していない状態の側面図、（ｂ）は（ａ）を下から見た図である。
【図５】図４と同様の図で、（ａ）は繊維シート状物を敷設した状態の側面図、（ｂ）は（ａ）を下から見た図である。
【図６】本発明の施工例に係る建物の室内空間の仕切り構造（天井構造）を示す図で、（ａ）は縦断面図、（ｂ）は（ａ）のｂ部の拡大図、（ｃ）は平面図である。
【図７】冷房試験の結果を示すグラフで、（ａ）は施工例３に示した本発明の天井構造での冷房試験による風速を示し、（ｂ）は従来のエアコンでの冷房試験による風速を示す。
【図８】図７と同様のグラフで、（ａ）は施工例３に示した本発明の建物の室内空間の仕切り構造（天井構造）での冷房試験による居室内の温度変化を示し、（ｂ）は従来のエアコンでの冷房試験による居室内の温度変化を示す。
【図９】図７と同様のグラフで、（ａ）は施工例３に示した本発明の建物の室内空間の仕切り構造（天井構造）での冷房試験による温度の高さ分布を示し、（ｂ）は従来のエアコンでの冷房試験による温度の高さ分布を示す。
【図１０】風速制御性を評価するために構築した天井空調システムの模式図である。
【符号の説明】
【００９１】
Ｌ                      居室空間
Ｒ                      空気層
Ｇ                      隙間
１、１３、２０          繊維シート状物
２                      板状部
２ａ                    板状部材
２ｂ                    板状部材（側方板部材）
３                      送風装置
４、１１、２３          ダクト
５                      空気吹き出し口
７                      接合手段７
１０、２１              板状部材
１０ａ                  開口部
１２ａ                  パイプ材
１２ｂ                  アングル材
１２                    フレーム（取り付け枠）
２２                    エアコン室内機
２４                    吹き出し部
２５                    換気扇
２６                    支持部材
２７                    フラットバー
２８                    風速計
２９                    温度分布測定手段
３０                    対流型冷暖房装置
３１                    繊維シート状物取付用Ｈ型フレーム
３２                    繊維シート状物取付用樹脂フレーム
【図１】
0005243128.tif 000003
【図２】
0005243128.tif 000004
【図３】
0005243128.tif 000005
【図４】
0005243128.tif 000006
【図５】
0005243128.tif 000007
【図６】
0005243128.tif 000008
【図７】
0005243128.tif 000009
【図８】
0005243128.tif 000010
【図９】
0005243128.tif 000011
【図１０】
0005243128.tif 000012